(57)【要約】【課題】デジタルデータ光信号を用いて各種ＡＶ機器やＡＶ機器以外の装置との信号の送受信を可能とするＡＶ機器光空間接続記憶装置及び方法を提供する。【解決手段】ＡＶ機器１〜４と光伝送によって接続されるＡＶ機器光空間接続記憶装置５は、各ＡＶ機器とデジタルデータ光信号を送受信する光送受信装置６と、各ＡＶ機器から受信した音声または映像データと各ＡＶ機器に送信する音声または映像データとを記録する大容量記憶装置７とを有する。光送受信装置６は、データ信号に各ＡＶ機器を識別する符号を付加して、時分割多元接続または符号分割多元接続で送信する。【選択図】図１
2006287456.tif 000002
【特許請求の範囲】
【請求項１】
複数のＡＶ機器と光伝送によって接続されるＡＶ機器光空間接続記憶装置であって、
前記ＡＶ機器光空間接続記憶装置は、
各ＡＶ機器とデジタルデータ光信号を送受信する光送受信装置と、
各ＡＶ機器から受信した音声または映像データと各ＡＶ機器に送信する音声または映像データとを記録する大容量記憶装置とを有することを特徴とするＡＶ機器光空間接続記憶装置。
【請求項２】
前記ＡＶ機器光空間接続記憶装置の光送受信装置は、データ信号に各ＡＶ機器を識別する符号を付加して、時分割多元接続または符号分割多元接続で送信することを特徴とする請求項１に記載のＡＶ機器光空間接続記憶装置。
【請求項３】
前記大容量記憶装置は、各ＡＶ機器から受信した音声または映像データに前記識別符号を付加して記録することを特徴とする請求項２に記載のＡＶ機器光空間接続記憶装置。
【請求項４】
ＡＶ機器光空間接続記憶装置と複数のＡＶ機器との接続を光伝送によって行うＡＶ機器光空間接続記憶方法であって、
ＡＶ機器光空間接続記憶装置と各ＡＶ機器とがデジタルデータ光信号を送受信し、
各ＡＶ機器から受信した音声または映像データと各ＡＶ機器に送信する音声または映像データとを大容量記憶装置に記録することを特徴とするＡＶ機器光空間接続記憶方法。
【請求項５】
前記ＡＶ機器光空間接続記憶装置は、データ信号に各ＡＶ機器を識別する符号を付加して、時分割多元接続または符号分割多元接続で送信することを特徴とする請求項４に記載のＡＶ機器光空間接続記憶方法。
【請求項６】
前記大容量記憶装置は、各ＡＶ機器から受信した音声または映像データに前記識別符号を付加して記録することを特徴とする請求項５に記載のＡＶ機器光空間接続記憶方法。
【発明の詳細な説明】
【技術分野】
【０００１】
本発明は、複数のＡＶ機器と光伝送によって接続されるＡＶ機器光空間接続記憶装置に関する。
【背景技術】
【０００２】
従来、各ＡＶ機器の入出力信号を送信および受信する光送受信器と、これらの光信号を中継する制御卓とにより構成し、機器間のビデオ信号および音声信号を光空間伝送するＡＶ機器光空間接続記憶装置がある（例えば、特許文献１参照）。
【特許文献１】特開平０４−３４５２２０号公報
【発明の開示】
【発明が解決しようとする課題】
【０００３】
しかしながら、従来のＡＶ機器光空間接続記憶装置では、各ＡＶ機器との光信号送受信は、アナログ信号による周波数多重方式であり、送受信できるＡＶ機器の種類や扱う音声信号および映像信号に制限があり、多種・多様なＡＶ機器やＡＶ機器以外の装置との信号の送受信が困難であった。
【０００４】
一方、近年、ＡＶ機器のデジタル化が進展し、パソコン等の情報処理装置との連携使用が普及してきている。
【０００５】
そこで本発明は、デジタルデータ光信号を用いて各種ＡＶ機器やＡＶ機器以外の装置との信号の送受信を可能とするＡＶ機器光空間接続記憶装置及び方法を提供することを目的とする。
【課題を解決するための手段】
【０００６】
上述の課題を解決するため、本発明は、複数のＡＶ機器と光伝送によって接続されるＡＶ機器光空間接続記憶装置であって、前記ＡＶ機器光空間接続記憶装置は、各ＡＶ機器とデジタルデータ光信号を送受信する光送受信装置と、各ＡＶ機器から受信した音声または映像データと各ＡＶ機器に送信する音声または映像データとを記録する大容量記憶装置とを有することを特徴とする。
【０００７】
また、ＡＶ機器光空間接続記憶装置の光送受信装置は、データ信号に各ＡＶ機器を識別する符号を付加して、時分割多元接続または符号分割多元接続で送信する。
【発明の効果】
【０００８】
本発明による第１の効果は、各ＡＶ機器とＡＶ機器光空間接続記憶装置に内蔵された光送受信装置とは、デジタルデータ光信号によって光伝送されるため、各種ＡＶ機器を混在してデータ送受信が可能となり、さらにパソコン等の情報処理装置との連携使用が可能となることである。またデジタル信号による時分割多元接続または符号分割多元接続とすることにより、複数のＡＶ機器と並行してデータの送受信を行うことができる。
【０００９】
第２の効果は、内蔵した大容量記憶装置を使用して、各音声・映像機器により異なった記録媒体で記録・再生していた音声・映像データを共有の記録媒体に記録して再生が可能となることである。
【発明を実施するための最良の形態】
【００１０】
次に、本発明の最良の形態について図面を参照して説明する。
【００１１】
本発明のＡＶ機器光空間接続記憶装置は、ＡＶ制御信号を光空間伝送するとともに、ＡＶ入出力信号のうち音声信号および映像信号を中継し、各音声・映像機器間を接続することにより、機器間の配線をなくして信号の送受を行い、機器の配置、増設を容易にすることができる。
【００１２】
さらに大容量の記憶装置（例えばハードディスクやＤＶＤ、ＭＯなど）を内蔵しており、容易に大容量の記憶（録音、録画）操作が可能となる。
【実施例】
【００１３】
図１は、本発明のシステム構成図である。ＡＶ機器光空間接続記憶装置５に内蔵された光送受信装置６は、赤外線等による光伝送によって各ＡＶ機器１〜４と接続されており、各ＡＶ機器との間で音声及び映像データのデジタル光信号による送受信を行う。
【００１４】
また、ＡＶ機器光空間接続記憶装置５内では、光送受信装置６と大容量記憶装置７が接続されており、大容量記憶装置７は各ＡＶ機器１〜４から受信した音声または映像データと各ＡＶ機器に送信する音声または映像データとを記録・再生する。
【００１５】
ＡＶ機器光空間接続記憶装置５の光送受信装置６は、データ信号に各ＡＶ機器１〜４を識別する符号を付加して、時分割多元接続（TDMA: Time Division Multiple Access）または符号分割多元接続（CDMA: Code Division Multiple Access）で送信する。デジタル信号による時分割多元接続または符号分割多元接続とすることにより、複数のＡＶ機器と並行してデータの送受信を行うことができる。
【００１６】
これを受信した各ＡＶ機器１〜４は、受信した信号のヘッダー部分に自己を識別する符号が付与されていた場合、信号受信完了後にアクノリッジを送信すると共に受信信号を記録する。このアクノリッジを受けて、ＡＶ機器光空間接続記憶装置５は、送信した信号が送信先として指定されたＡＶ機器に受信されたことを確認できる。
【００１７】
また、受信した信号のヘッダー部分に自己を識別する符号が付与されていないＡＶ機器は、自己に対する信号送信ではないとして、受信した信号を記録せずに、また信号待ちの状態に移行する。
【００１８】
ＡＶ機器光空間接続記憶装置５の大容量記憶装置７は、各ＡＶ機器１〜４から受信した音声または映像データにそのＡＶ機器の識別符号を付加して記録する。これにより、受信した音声または映像データを容易に記憶（録音、録画）可能となり、その音声または映像データがどのＡＶ機器から受信したデータか後で識別することができる。
【００１９】
以上の構成により、例えばＡＶ機器１（ＤＶＤ装置）で再生された音声及び映像を、ＡＶ機器４（ＴＶ）で鑑賞したり、ＡＶ機器３（ＶＴＲ）で録画することを並行して自由な組み合わせでおこなうことが可能となる。
【産業上の利用可能性】
【００２０】
本発明は、家庭で一般的なＡＶ機器について記述しているが、専門的な装置間の接続（例えば携帯などの交換機システムにおけるバックアップファイルや課金データなどを記憶する装置間の接続）の分野などについても、利用・応用が可能である。
【図面の簡単な説明】
【００２１】
【図１】本発明のシステム構成図である。
【符号の説明】
【００２２】
１〜４  ＡＶ機器
５  ＡＶ機器光空間接続記憶装置
６  光送受信装置
７  大容量記憶装置
【図１】
2006287456.tif 000003